【事件の表示】
　平成１０年特許願第　３６４６１号「スロットマシン」拒絶査定不服審判事件〔平成１１年　８月２４日出願公開、特開平１１−２２６１７７〕について、次のとおり審決する。
【結　論】
　本件審判の請求は、成り立たない。
【理　由】
１．手続の経緯・本願発明
　本願は、平成１０年２月１８日の特許出願であって、その請求項１ないし４に係る発明は、平成１２年１月７日付け、平成１３年５月２８日付け、平成１４年１月２８日付けの手続補正書によって補正された明細書及び出願当初の図面の記載からみて、本願の特許請求の範囲の請求項１ないし４に記載された事項により特定されるものと認められるところ、その請求項１に記載された発明（以下、「本願発明」という。）は次のとおりである。
「複数種類の図柄が表示された複数の回転リールと、
　前記複数の回転リールの各図柄が臨む表示窓と、
　前記複数の回転リールを個々に回転可能な複数のリールモータと、
　メダルを投入するためのメダル投入手段と、
　前記メダル投入手段によるメダルの投入を条件に、前記複数のリールモータの駆動を開始させるためのスタート信号を出力可能なスタートスイッチと、
　前記複数のリールモータにそれぞれ対応し、当該リールモータの駆動を個別に停止させるためのストップ信号をそれぞれ出力可能な複数のストップスイッチと、
　前記複数の回転リールの停止状態に応じて、遊技者に利益を付与する利益付与手段と、
　前記メダル投入手段、前記スタートスイッチ、前記複数のストップスイッチ、前記複数のリールモータ及び前記利益付与手段を制御するための遊技制御装置と、を備え、
　前記遊技制御装置には、
　乱数を発生させるための乱数発生手段と、
　前記スタートスイッチからの前記スタート信号の入力を条件に、前記乱数発生手段より発生する前記乱数を抽選するための乱数抽選手段と、
　前記スタートスイッチからの前記スタート信号の入力を条件に、前記複数のリールモータの駆動を開始させ、前記乱数抽選手段による抽選結果及び前記複数のストップスイッチからの各ストップ信号に対応して、前記複数のリールモータの駆動を個別に停止可能なモータ駆動制御手段と、
　前記複数の回転リールの停止状態に応じて遊技結果を判定し、前記利益付与手段を作動させるための一般遊技制御手段と、
　前記一般遊技制御手段による一般遊技より、遊技者に有利な条件で特別遊技を行わせるための特別遊技制御手段と、
　前記乱数抽選手段の前記抽選結果より、前記一般遊技制御手段による前記一般遊技から前記特別遊技制御手段による前記特別遊技への移行の可能性を判定し、移行の可能性が高いと判定した場合には、リーチ信号を出力するためのリーチ状態判定手段と、
　前記リーチ状態判定手段からの前記リーチ信号の入力を条件に、遊技者にリーチ状態の発生の可能性を報知するためのリーチ状態報知手段と
を含むスロットマシンにおいて、
　前記モータ駆動制御手段には、
　前記リールモータの駆動速度を、低速から高速に可変可能なモータ駆動速度可変手段を含み、
　前記リーチ状態報知手段には、前記モータ駆動速度可変手段による低速駆動中に、前記複数種類の図柄のうちから、予め決めたリーチ図柄を所定のリーチパターンにより表示させるためのリーチパターン表示手段を含み、
　前記リーチパターン表示手段は、前記リーチ状態判定手段からの前記リーチ信号の入力を条件に、前記スタートスイッチからの前記スタート信号の入力を条件に、前記モータ駆動制御手段により、前記複数のリールモータを異なる回転速度で駆動させ、前記モータ駆動速度可変手段による低速駆動中に、前記リーチ図柄を前記リーチパターンにより前記表示窓に表示できるようにし、
　その後、予め決めたリーチ図柄を所定のリーチパターンにより表示させた状態で、前記モータ駆動速度可変手段により高速駆動に移行するようにしたことを特徴とするスロットマシン。」
　　　　　　　　　　　　　　　　　　　　　　　　　　　　　　　　　
２．刊行物に記載された発明
　これに対して、原査定の拒絶の理由に引用された、本願の出願前に頒布された刊行物である刊行物１（特開平３−７７５６９号公報）及び刊行物２（特開平９−１０３９８号公報）には、それぞれ以下の発明が記載されている。
(i)刊行物１（特開平３−７７５６９号公報）　　　 　
刊行物１には以下の記載が認められる。 
1-a．「複数のシンボル列を観察窓に定常速度で移動表示した後、これらのシンボル列の移動表示を停止させ、入賞ライン上に停止しているシンボルの組み合わせにより入賞の有無を表示するようにしたスロットマシンにおいて、前記シンボル列の移動表示が停止されるまでに入賞を発生させるか否かを予め決定する入賞決定手段と、この入賞決定手段によって決定された入賞の有無に対応し、シンボル列の移動表示を前記定常速度とは異なる表示速度に切り換える表示速度切り換え手段とを備えたことを特徴とするスロットマシン。」（特許請求の範囲）
1-b．「本発明は、シンボル列によって入賞が得られたか否かを表示するだけでなく、そのシンボル列の移動表示中に入賞が得やすい状態になっていることも表示できるようにしたスロットマシンに関するものである。」（第１頁左下欄第１９行−右下欄第３行）
1-c．「遊技者にとって最も期待されている大入賞の発生は・・・」（第２頁左上欄第５−６行）
1-d．「シンボル列の移動表示速度は、入賞決定手段によって入賞を出すように決められたときとハズレを出すように決められたときとで切り換えられる。この移動表示速度の変化に遊技者が気づけば、シンボル列の移動表示の過程で遊技者はゲーム結果を予測することができるようになる」（第２頁右上欄第１３−１８行）
1-e．「本発明のスロットマシンの外観を示す第３図において、スロットマシン２の正面中央部には左側から順にストップボタン３〜５が設けられており、ストップボタン３の周辺部にはスタートレバー６，コイン投入口７がそれぞれ設けられている。ストップボタン３〜５の上方には前面パネル８が嵌め込まれており、この前面パネル８の裏側には径を同じくする第１，第２，第３リール９〜１１が図中左側から順に配置されている。これら各リール９〜１１の外周面には例えば「レモン」，「７」，「スイカ」等の種々のシンボルが描かれており、前面パネル８に形成された３個の窓１２〜１４を通して観察される。」（第２頁左下欄第４−１６行）
1-f．「第２図はスロットマシン２の電気的構成を示すものである。前記各リール９〜１１を駆動するパルスモータ２０〜２２はドライバ２３〜２５を介して、システムコントローラ２６に接続されている。」（第２頁右下欄第１２−１６行）
1-g．「システムコントローラ２６には前記ストップボタン３〜５に連動してストップ信号を出力するストップスイッチ３a〜５a，スタートレバー６に連動するスタートスイッチ６a，コイン投入口７に取り付けられコインの検出を行うコイン投入センサ３５・・・がそれぞれ接続されている。前記スタートスイッチ６aはスタートレバー６の操作タイミングでスタート信号を、またコイン投入センサ３５はコインの検出タイミングで、乱数発生信号をそれぞれ出力する。」（第３頁左上欄第２−１２行）
1-h．「第１図はシステムコントローラ２６を示すものである。コイン投入センサ３５に接続された乱数発生回路４０は、乱数発生信号により１〜３０００の乱数を発生する。この乱数発生回路４０にはスタート信号によりサンプリングを行うサンプリング回路４１が接続されている。・・・サンプリング回路４１には絵柄決定回路４２が接続されている。絵柄決定回路４２ではサンプリングされた乱数値を絵柄テーブル４３に照らし合わせ、乱数値に該当するシンボルの組み合わせの判定を行い、このシンボルの組み合わせに対応する３個のシンボル信号を決定する。各シンボル信号は絵柄決定回路４２に接続された停止位置決定回路４４に出力される。この停止位置決定回路４４にはストップスイッチ３a〜５aとパルスモータ２０〜２２の制御を行うモータ制御回路４５が接続されている。前記停止位置決定回路４４はストップスイッチ３a〜５aからのストップ信号を受けて各パルスモータ２０〜２２の停止制御を行う。」（第３頁左上欄第１３行−右上欄第１５行）
1-i．「停止位置決定回路４４からモータ制御回路４５にシンボル信号「７」，「７」，「７」が出力されたときには、モータ制御回路４５は定常回転速度に達したパルスモータ２０〜２２を一定時間後に減速して、等速回転に移行させる・・・ような駆動パルスを各パルスモータ２０〜２２に出力する。」（第３頁左下欄第２０行−右下欄第８行）
1-j．「本発明ではシンボル列の移動表示が停止されるまでに入賞を発生させるか否かを予め決定する入賞決定手段と、この入賞決定手段によって決定された入賞の有無に対応し、シンボル列の移動表示を前記定常速度とは異なる表示速度に切り換える表示速度切り換え手段とを設けたから、大入賞等の入賞が得やすい状態になったときにはシンボル列の移動表示を変化させ、シンボル列の移動表示中にも遊技者に興趣を与えることができる」（第５頁左下欄第８−１７行）
　上記の記載（1-aないし1-j）より、刊行物１には次の発明（以下、「刊行物1の発明」という。）が記載されていると認められる。　
「複数のシンボル列を観察窓に定常速度で移動表示した後、これらのシンボル列の移動表示を停止させ、入賞ライン上に停止しているシンボルの組み合わせにより入賞の有無を表示するようにしたスロットマシンにおいて、スロットマシン２の正面中央部にストップボタン３〜５が設けられ、ストップボタン３の周辺部にはスタートレバー６，コイン投入口７がそれぞれ設けられており、ストップボタン３〜５の上方には前面パネル８が嵌め込まれており、前面パネル８の裏側に、径を同じくする第１，第２，第３リール９〜１１が配置され、これら各リール９〜１１の外周面には例えば「レモン」，「７」，「スイカ」等の種々のシンボルが描かれ、前面パネル８に形成された３個の窓１２〜１４を通して観察され、前記各リール９〜１１を駆動するパルスモータ２０〜２２はドライバ２３〜２５を介してシステムコントローラ２６に接続されており、システムコントローラ２６には前記ストップボタン３〜５に連動してストップ信号を出力するストップスイッチ３a〜５a、スタートレバー６に連動するスタートスイッチ６a、コイン投入口７に取り付けられコインの検出を行うコイン投入センサ３５がそれぞれ接続されており、前記スタートスイッチ６aはスタートレバー６の操作タイミングでスタート信号を出力し、またコイン投入センサ３５に接続された、乱数発生信号を発生する乱数発生回路４０には、スタート信号によりサンプリングを行うサンプリング回路４１が接続されており、サンプリング回路４１には絵柄決定回路４２が接続されていて、サンプリングされた乱数値を絵柄テーブル４３に照らし合わせ、乱数値に該当するシンボルの組み合わせの判定を行い、このシンボルの組み合わせに対応する３個のシンボル信号を決定して、絵柄決定回路４２に接続された停止位置決定回路４４に出力し、この停止位置決定回路４４にはストップスイッチ３a〜５aとパルスモータ２０〜２２の制御を行うモータ制御回路４５が接続されており、ストップスイッチ３a〜５aからのストップ信号を受けて各パルスモータ２０〜２２の停止制御を行うものであり、前記複数のシンボル列を定常速度で移動表示した後、停止位置決定回路４４からモータ制御回路４５にシンボル信号「７」，「７」，「７」が出力され、シンボル列の移動表示中に大入賞等の入賞が得やすい状態になったときには、モータ制御回路４５は定常回転速度に達したパルスモータ２０〜２２を一定時間後に減速して、等速回転に移行させるような駆動パルスを各パルスモータ２０〜２２に出力し、前記シンボル列の移動表示を前記定常速度とは異なる表示速度に切り換える表示速度切り換え手段を備え、この移動表示速度の変化に遊技者が気づけば、シンボル列の移動表示の過程で遊技者はゲーム結果を予測することができるようになる、スロットマシン。」
　　　　　　　　　　　　　　　　　　　　　　　　　　　　　　　　　
(ii)刊行物２（特開平９−１０３９８号公報）　　　 　
刊行物２には以下の記載が認められる。 
2-a．「複数種類の図柄を可変表示する図柄可変表示手段と、入賞の有無の判定に用いる乱数を発生する乱数発生手段と、上記乱数発生手段によって発生した乱数を抽出する乱数抽出手段と、前記乱数発生手段から発生する乱数値がとる全領域のうち、予め定められた特定の入賞領域を備えた入賞判定テーブルと、上記乱数抽出手段が抽出した１つの乱数値を、前記入賞判定テーブルと照合するテーブル照合手段と、上記乱数抽出手段が抽出した１つの乱数値にもとづいて、可変表示手段に停止表示させる停止図柄を決定する停止図柄決定手段と、前記停止図柄決定手段により決定した停止図柄情報にもとづいて、可変表示手段による図柄の可変表示を停止させる可変表示制御手段とを備えた遊技機において、上記入賞判定テーブルには、上記入賞領域を含むとともに、前記入賞領域以外の非入賞領域を含むリーチ図柄出現領域を設定し、前記乱数抽出手段により抽出された１つの乱数値を、前記テーブル照合手段により入賞判定テーブルのリーチ図柄出現領域と照合し、その結果、当該乱数値が前記リーチ図柄出現領域に含まれていることを条件に、リーチ図柄を決定するリーチ図柄決定手段を備え、上記可変表示制御手段は、図柄可変表示手段に表示された図柄を、静止状態から、図柄の判別が困難な状態で変動表示させる変動表示制御手段と、前記変動表示制御手段により図柄の判別が困難な状態で変動表示されている図柄を、図柄の判別が容易な状態で可視変動表示させ、前記リーチ図柄決定手段により決定されたリーチ図柄を可視表示するリーチ図柄可視表示制御手段と、前記リーチ図柄可視表示制御手段により図柄の判別が容易な状態で変動表示されている図柄を、図柄の判別が困難な状態で再変動表示させる再変動表示制御手段と、前記再変動表示制御手段により図柄の判別が困難な状態で再変動表示されている図柄の再変動表示を停止させ、前記停止図柄決定手段により決定された停止図柄を停止表示する停止表示制御手段とを含むことを特徴とする遊技機。」（特許請求の範囲の請求項１）
2-b．「そこで、請求項１記載の遊技機・・・の目的とするところは、図柄可変表示手段によって図柄を可変表示している最中に、遊技者が判別可能な状態で、入賞の確率が高いことを示すリーチ図柄を可視表示することにより、入賞の確率が高いことを予め報知し、以降の遊技の趣向を高めることのできる遊技機を提供しようとするものである。」（段落【０００６】）　　
2-c．「・・・10は、遊技機としてのパチンコ機の正面を示すものであり、このパチンコ機10は、その前面には遊技盤20を有し、遊技盤20の表面には・・・遊技部30を備えている。・・・前記遊技部30内のほぼ中央には、・・・図柄可変表示手段としての図柄表示装置40が設けられている。この図柄表示装置40は・・・横並びに並んだ、第１〜３までの３個の透明部分からなる表示窓41〜43を備え、各表示窓41〜43に対応する遊技機内部には、第１〜３からなる３個の回転リール50〜52が設けられている。この回転リール50〜52には・・・その外周に、例えば複数種類の数字や絵柄から構成された図柄が複数個表示されている。そして、この回転リール50〜52が回転することで、回転リール50〜52の外周に表示された図柄を順次可変表示することができる。また、各回転リール50〜52は・・・それぞれ回転の停止時において、それぞれ３個の図柄を停止表示することができ、停止図柄の組合せが、特別の賞態様を構成する組合せである場合には、入賞となり特別遊技を行うことができる。なお、停止図柄の組合せが特別の賞態様を構成する組合せであるか否かは・・・合計５本の仮想のラインＬ1〜Ｌ5のいずれかに、特定の図柄の組合せ、例えば「７」「７」「７」が並んだ状態であるか否かによって判断される。」（段落【００１４】【００１５】）　
2-d．「・・・電子的制御装置100は、入賞の判定の有無に用いる乱数（例えば十進数で０〜１６３８３までの数字）を発生する乱数発生手段101と、入球センサ61への遊技球の入球を条件に、上記乱数発生手段101によって発生した乱数を抽出する乱数抽出手段102と、前記乱数発生手段101から発生する乱数値がとる全領域（例えば十進数で０〜１６３８３までの数字）のうち、予め定められた特定の入賞領域及び前記入賞領域を含むとともに、前記入賞領域以外の非入賞領域を有するリーチ図柄出現領域を備えた入賞判定テーブル103と、上記乱数抽出手段102が抽出した１つの乱数値を、前記入賞判定テーブル103と照合するテーブル照合手段104と、上記乱数抽出手段102が抽出した１つの乱数値にもとづいて、図柄表示装置40の図柄変動表示を停止表示させる停止図柄を決定する停止図柄決定手段105と、前記乱数抽出手段102により抽出された１つの乱数値を、前記テーブル照合手段104により、入賞判定テーブル103のリーチ図柄出現領域と照合し、その結果、当該乱数値が前記リーチ図柄出現領域に含まれていることを条件に、リーチ図柄を決定するリーチ図柄決定手段106と、図柄表示装置40に表示された図柄を、静止状態から、図柄の判別が困難な状態で変動表示させる変動表示制御手段110と、前記変動表示制御手段110により図柄の判別が困難な状態で変動表示されている図柄を、図柄の判別が容易な状態で可視変動表示させ、前記リーチ図柄決定手段106により決定されたリーチ図柄を可視表示するリーチ図柄可視表示制御手段111と、前記リーチ図柄可視表示制御手段111により図柄の判別が容易な状態で変動表示されている図柄を、図柄の判別が困難な状態で再変動表示させる再変動表示制御手段112と、前記再変動表示制御手段112により図柄の判別が困難な状態で再変動表示されている図柄の再変動表示を停止させ、前記停止図柄決定手段105により決定された停止図柄を停止表示する停止表示制御手段113と、前記乱数抽出手段102により抽出された１つの乱数値を、前記テーブル照合手段104により入賞判定テーブル103の入賞領域と照合し、その結果、当該乱数値が前記入賞領域に含まれていることを条件に、特別遊技の実行を決定する特別遊技決定手段107と、前記特別遊技決定手段107により特別遊技の実行が決定された場合に、特別遊技を行わせる特別遊技実行制御手段120とを備えている。」（段落【００２２】）
2-e．「前記リーチ図柄の可視表示についての第２実施例は、図柄の判別が容易な状態から、上ラインＬ1上に、図６（Ｄ）に示すように、各回転リール50〜52の回転速度を、遊技者が容易に図柄を判別できる程度の速度で各図柄の表示位置を揃えた状態で同調させて回転させ、各回転リール50〜52の回転が同調した状態で、リーチ図柄である特定の図柄の組合せが成立して表示されるようにリーチ図柄、例えば「７」「７」「７」を可視表示させる。
　図柄表示装置40において、各回転リール50〜52の回転速度が同調した状態で、リーチ図柄が可視表示され、遊技者にとっては容易に把握しやすい状態で、リーチ図柄が図柄の変動中に可視表示され、特別遊技への入賞の期待感が高まる。」（段落【００４６】【００４７】）
2-f．「・・・請求項１記載の遊技機によれば、図柄可変表示手段によって図柄を可変表示している最中に、遊技者が判別可能な状態で、入賞の確率が高いことを示すリーチ図柄を可視表示することにより、入賞の確率が高いことを予め報知し、入賞への期待感を高め、以降の遊技の趣向を高めることのできる遊技機を提供することができる。」（【００４８】）
　上記の記載（2-aないし2-f）より、刊行物２には次の発明（以下、「刊行物２の発明」という。）が記載されていると認められる。
「遊技機としてのパチンコ機10の遊技部30内のほぼ中央に、図柄可変表示手段としての図柄表示装置40が設けられ、この図柄表示装置40は横並びに並んだ、第１〜３までの３個の透明部分からなる表示窓41〜43を備え、各表示窓41〜43に対応する遊技機内部には、第１〜３からなる３個の回転リール50〜52が設けられ、この回転リール50〜52には、その外周に、例えば複数種類の数字や絵柄から構成された図柄が複数個表示され、この回転リール50〜52が回転することで、回転リール50〜52の外周に表示された図柄を順次可変表示することができ、各回転リール50〜52は、それぞれ回転の停止時において、それぞれ３個の図柄を停止表示することができ、停止図柄の組合せが、特別の賞態様を構成する組合せ、例えば合計５本の仮想のラインＬ1〜Ｌ5のいずれかに「７」「７」「７」が並んだ状態である場合には、入賞となり特別遊技を行うことができ、電子的制御装置100は、入賞の判定の有無に用いる乱数（例えば十進数で０〜１６３８３までの数字）を発生する乱数発生手段101と、入球センサ61への遊技球の入球を条件に、上記乱数発生手段101によって発生した乱数を抽出する乱数抽出手段102と、前記乱数発生手段101から発生する乱数値がとる全領域（例えば十進数で０〜１６３８３までの数字）のうち、予め定められた特定の入賞領域及び前記入賞領域を含むとともに、前記入賞領域以外の非入賞領域を有するリーチ図柄出現領域を備えた入賞判定テーブル103と、上記乱数抽出手段102が抽出した１つの乱数値を、前記入賞判定テーブル103と照合するテーブル照合手段104と、上記乱数抽出手段102が抽出した１つの乱数値にもとづいて、図柄表示装置40の図柄変動表示を停止表示させる停止図柄を決定する停止図柄決定手段105と、前記乱数抽出手段102により抽出された１つの乱数値を、前記テーブル照合手段104により、入賞判定テーブル103のリーチ図柄出現領域と照合し、その結果、当該乱数値が前記リーチ図柄出現領域に含まれていることを条件に、リーチ図柄を決定するリーチ図柄決定手段106と、図柄表示装置40に表示された図柄を、静止状態から、図柄の判別が困難な状態で変動表示させる変動表示制御手段110と、前記変動表示制御手段110により図柄の判別が困難な状態で変動表示されている図柄を、各回転リール50〜52の回転速度を、遊技者が容易に図柄を判別できる程度の速度で各図柄の表示位置を揃えた状態で同調させて回転させ、各回転リール50〜52の回転が同調した状態で、前記リーチ図柄決定手段106により決定されたリーチ図柄、例えば「７」「７」「７」を可視表示するリーチ図柄可視表示制御手段111と、前記リーチ図柄可視表示制御手段111により図柄の判別が容易な状態で変動表示されている図柄を、図柄の判別が困難な状態で再変動表示させる再変動表示制御手段112と、前記再変動表示制御手段112により図柄の判別が困難な状態で再変動表示されている図柄の再変動表示を停止させ、前記停止図柄決定手段105により決定された停止図柄を停止表示する停止表示制御手段113と、前記乱数抽出手段102により抽出された１つの乱数値を、前記テーブル照合手段104により入賞判定テーブル103の入賞領域と照合し、その結果、当該乱数値が前記入賞領域に含まれていることを条件に、特別遊技の実行を決定する特別遊技決定手段107と、��記特別遊技決定手段107により特別遊技の実行が決定された場合に、特別遊技を行わせる特別遊技実行制御手段120とを備えており、図柄可変表示手段によって図柄を可変表示している最中に、遊技者が判別可能な状態で、入賞の確率が高いことを示すリーチ図柄を可視表示することにより、入賞の確率が高いことを予め報知し、入賞への期待感を高め、以降の遊技の趣向を高めることのできる、遊技機。」
　　　　　　　　　　　　　　　　　　　　　　　　　　　　　　　　　
３．対比・判断 　 　                                             　
　本願発明と刊行物１の発明とを対比すると、両者は共にスロットマシンであって、刊行物１の発明における「種々のシンボルが描かれ」は本願発明における「複数種類の図柄が表示され」に対応しており、同じく「第１，第２，第３リール９〜１１」は「複数の回転リール」に、「（種々のシンボルが）３個の窓１２〜１４を通して観察され」は「複数の回転リールの各図柄が臨む表示窓」に、「各リール９〜１１を駆動するパルスモータ２０〜２２」は「複数の回転リールを個々に回転可能な複数のリールモータ」に、「コイン投入口７に取り付けられコインの検出を行うコイン投入センサ３５」は「メダルを投入するためのメダル投入手段」に、「スタートスイッチ６aはスタート信号を出力」は「スタート信号を出力可能なスタートスイッチ」に、「ストップボタン３〜５に連動してストップ信号を出力するストップスイッチ３a〜５a」は「ストップ信号をそれぞれ出力可能な複数のストップスイッチ」に、「乱数発生回路４０」は「乱数発生手段」に、それぞれ対応しており、刊行物１の発明についてさらに次のことがいえる。
(i)刊行物１の発明は、「各リール９〜１１を駆動するパルスモータ２０〜２２はドライバ２３〜２５を介してシステムコントローラ２６に接続され」ており、「システムコントローラ２６」には「スタートレバー６に連動するスタートスイッチ６a、コイン投入口７に取り付けられコインの検出を行うコイン投入センサ３５がそれぞれ接続されており、前記スタートスイッチ６aはスタートレバー６の操作タイミングでスタート信号を出力」するものである。上記技術事項に刊行物１の第１図及び第２図を参酌すると、「コイン投入口７に取り付けられ」た「コイン投入センサ３５」が「コインの検出を行う」と、「スタートスイッチ６a」が「各リール９〜１１を駆動するパルスモータ２０〜２２」の「ドライバ２３〜２５」に「スタート信号を出力」することが可能となるといえる。
　そうすると刊行物１の発明は、本願発明を特定する、「メダル投入手段によるメダルの投入を条件に、前記複数のリールモータの駆動を開始させるためのスタート信号を出力可能なスタートスイッチ」の事項に対応する構成を備えているということができる。
(ii)刊行物１の発明は、「停止位置決定回路４４にはストップスイッチ３a〜５aとパルスモータ２０〜２２の制御を行うモータ制御回路４５が接続されており、ストップスイッチ３a〜５aからのストップ信号を受けて各パルスモータ２０〜２２の停止制御を行う」ものであり、「ストップスイッチ３a〜５aからのストップ信号」は、「各パルスモータ２０〜２２」のうち、対応する「パルスモータ」に対して個別に出力され、当該「パルスモータ」を個別に停止制御することが明らかである。
　そうすると刊行物１の発明は、本願発明を特定する、「複数のリールモータにそれぞれ対応し、当該リールモータの駆動を個別に停止させるためのストップ信号をそれぞれ出力可能な複数のストップスイッチ」の事項に対応する構成を備えているということができる。
(iii)上記(i)に記載したように、刊行物１の発明における「システムコントローラ２６」には、「コイン投入口７に取り付けられコインの検出を行うコイン投入センサ３５」（本願発明における「メダル投入手段」に対応する。）、「スタートスイッチ６a」（本願発明における「スタートスイッチ」に対応する。）が接続されるとともに、さらに「ストップスイッチ３a〜５a」（本願発明における「ストップスイッチ」に対応する。）が「接続」される（摘記事項1-g）ものである。
　また刊行物１の発明における上記「システムコントローラ２６」は、「３個のシンボル信号を決定」する「絵柄決定回路４２」及び「パルスモータ２０〜２２の停止制御」を行う「停止位置決定回路４４」を備え（摘記事項1-h及び第１、２図）ており、「パルスモータ２０〜２２」（本願発明における「複数のリールモータ」に対応する。）の制御、及び入賞絵柄を含む「シンボルの組み合わせの判定」を行うものであり、実質上、本願発明における「前記複数の回転リールの停止状態に応じて、遊技者に利益を付与する利益付与手段」に対応する構成を備えているということができる。
　そうすると刊行物１の発明における上記「システムコントローラ２６」は、本願発明における「遊技制御装置」に実質的に対応するものということができ、同刊行物１の発明は、本願発明を特定する、「前記複数の回転リールの停止状態に応じて、遊技者に利益を付与する利益付与手段と、前記メダル投入手段、前記スタートスイッチ、前記複数のストップスイッチ、前記複数のリールモータ及び前記利益付与手段を制御するための遊技制御装置と、を備え」の事項に対応する構成を実質上備えているということができる。   
(iv)上記(i)に記載したように、刊行物１の発明における「システムコントローラ２６」には、「各リール９〜１１を駆動するパルスモータ２０〜２２」の「ドライバ２３〜２５」に「スタート信号を出力」する「スタートスイッチ６a」が接続されている。
　また上記「システムコントローラ２６」には、「乱数発生回路４０」、「サンプリング回路４１」及び「絵柄決定回路４２」が接続されていて、「サンプリングされた乱数値」に「該当するシンボルの組み合わせの判定を行」い、「シンボルの組み合わせに対応する３個のシンボル信号を決定」して「停止位置決定回路４４に出力」し、「モータ制御回路４５」において「ストップスイッチ３a〜５aからのストップ信号を受けて各パルスモータ２０〜２２の停止制御を行う」ものである。
　そうすると、上記「システムコントローラ２６」は、本願発明における「遊技制御装置」が含む「乱数を発生させるための乱数発生手段と、前記スタートスイッチからの前記スタート信号の入力を条件に、前記乱数発生手段より発生する前記乱数を抽選するための乱数抽選手段と、前記スタートスイッチからの前記スタート信号の入力を条件に、前記複数のリールモータの駆動を開始させ、前記乱数抽選手段による抽選結果及び前記複数のストップスイッチからの各ストップ信号に対応して、前記複数のリールモータの駆動を個別に停止可能なモータ駆動制御手段」に実質的に対応する手段を含んでいるといえる。
(v)刊行物１の発明における「システムコントローラ２６」は、「乱数値に該当するシンボルの組み合わせの判定を行」い、「ストップスイッチ３a〜５aからのストップ信号を受けて各パルスモータ２０〜２２の停止制御を行う」ものであり、「判定」される「入賞」には、「遊技者にとって最も期待されている大入賞」（摘記事項1-c）と、「大入賞」以外の「入賞」（摘記事項1-b）とがあり、上記「入賞」は本願発明を特定する「一般遊技」による「利益付与」に、同じく上記「大入賞」は本願発明を特定する「一般遊技より、遊技者に有利な条件で（遊技を行わせる）特別遊技」に、それぞれ対応するものである。
　そうすると上記「システムコントローラ２６」は、本願発明における「遊技制御装置」が含む、「前記複数の回転リールの停止状態に応じて遊技結果を判定し、前記利益付与手段を作動させるための一般遊技制御手段と、前記一般遊技制御手段による一般遊技より、遊技者に有利な条件で特別遊技を行わせるための特別遊技制御手段」に実質的に対応する手段を含んでいるといえる。
(vi)刊行物１の発明における「システムコントローラ２６」は、「乱数値に該当するシンボルの組み合わせの判定を行」い、「シンボル列の移動表示中に大入賞等の入賞が得やすい状態になったとき」には、「表示速度切り換え手段」により「定常回転速度に達したパルスモータ２０〜２２を一定時間後に減速して、等速回転に移行させるような駆動パルスを各パルスモータ２０〜２２に出力」するものであり、「大入賞等の入賞が得やすい状態になったとき」とは、上記(v)に記載した事項によれば、本願発明における、「一般遊技制御手段による一般遊技から特別遊技制御手段による特別遊技への移行の可能性」が「高いと判定した場合」に対応している。そして、「表示速度切り換え手段」による「シンボル列の移動表示」の速度を「減速」することは、「大入賞等の入賞が得やすい状態になった」こと、すなわち、「特別遊技への移行の可能性」が「高い」ことを遊技者へ報知することであり、上記した、「シンボル列の移動表示」の速度を「減速」することによる報知手段を「モータを低速駆動することにより特別遊技への移行の可能性が高いことを報知する報知手段」と包括的に表現することができる。
　一方、本願発明は、「（遊技制御装置には）乱数抽選手段の前記抽選結果より、一般遊技制御手段による一般遊技から特別遊技制御手段による前記特別遊技への移行の可能性を判定し、移行の可能性が高いと判定した場合には」、「モータ駆動速度可変手段」による「リールモータ」の「低速駆動中に、前記複数種類の図柄のうちから、予め決めたリーチ図柄を所定のリーチパターンにより表示させるためのリーチパターン表示手段を含」むものであり、上記した、「リールモータ」の「低速駆動中」に報知する報知手段を「モータを低速駆動することにより特別遊技への移行の可能性が高いことを報知する報知手段」と包括的に表現することができる。
　そうすると、本願発明と刊行物１の発明とは、「（遊技制御装置（刊行物１の発明における「システムコントローラ」が対応する。）には、）乱数抽選手段の前記抽選結果より、一般遊技制御手段による一般遊技から特別遊技制御手段による特別遊技への移行の可能性を判定し、移行の可能性が高いと判定した場合には、モータを低速駆動することにより特別遊技への移行の可能性が高いことを報知する報知手段」を備えている点で共通しているということができる。
　　　　　　　　　　　　　　　　　　　　　　　　　　　　　　　　　
　上記(i)ないし(vi)の事項により、本願発明と刊行物１の発明とは、以下の点で一致し、また相違していると認められる。
一致点；
　複数種類の図柄が表示された複数の回転リールと、前記複数の回転リールの各図柄が臨む表示窓と、前記複数の回転リールを個々に回転可能な複数のリールモータと、メダルを投入するためのメダル投入手段と、前記メダル投入手段によるメダルの投入を条件に、前記複数のリールモータの駆動を開始させるためのスタート信号を出力可能なスタートスイッチと、前記複数のリールモータにそれぞれ対応し、当該リールモータの駆動を個別に停止させるためのストップ信号をそれぞれ出力可能な複数のストップスイッチと、前記複数の回転リールの停止状態に応じて、遊技者に利益を付与する利益付与手段と、前記メダル投入手段、前記スタートスイッチ、前記複数のストップスイッチ、前記複数のリールモータ及び前記利益付与手段を制御するための遊技制御装置と、を備え、前記遊技制御装置には、乱数を発生させるための乱数発生手段と、前記スタートスイッチからの前記スタート信号の入力を条件に、前記乱数発生手段より発生する前記乱数を抽選するための乱数抽選手段と、前記スタートスイッチからの前記スタート信号の入力を条件に、前記複数のリールモータの駆動を開始させ、前記乱数抽選手段による抽選結果及び前記複数のストップスイッチからの各ストップ信号に対応して、前記複数のリールモータの駆動を個別に停止可能なモータ駆動制御手段と、前記複数の回転リールの停止状態に応じて遊技結果を判定し、前記利益付与手段を作動させるための一般遊技制御手段と、前記一般遊技制御手段による一般遊技より、遊技者に有利な条件で特別遊技を行わせるための特別遊技制御手段と、前記乱数抽選手段の前記抽選結果より、前記一般遊技制御手段による前記一般遊技から前記特別遊技制御手段による前記特別遊技への移行の可能性を判定し、移行の可能性が高いと判定した場合には、モータを低速駆動することにより特別遊技への移行の可能性が高いことを報知する報知手段を含むスロットマシン、である点。
相違点；
　モータを低速駆動することにより特別遊技への移行の可能性が高いことを報知する報知手段が、本願発明においては、リーチ信号を出力するためのリーチ状態判定手段と、前記リーチ状態判定手段からの前記リーチ信号の入力を条件に、遊技者にリーチ状態の発生の可能性を報知するためのリーチ状態報知手段とを含み、前記モータ駆動制御手段には、前記リールモータの駆動速度を、低速から高速に可変可能なモータ駆動速度可変手段を含み、前記リーチ状態報知手段には、前記モータ駆動速度可変手段による低速駆動中に、前記複数種類の図柄のうちから、予め決めたリーチ図柄を所定のリーチパターンにより表示させるためのリーチパターン表示手段を含み、前記リーチパターン表示手段は、前記リーチ状態判定手段からの前記リーチ信号の入力を条件に、前記スタートスイッチからの前記スタート信号の入力を条件に、前記モータ駆動制御手段により、前記複数のリールモータを異なる回転速度で駆動させ、前記モータ駆動速度可変手段による低速駆動中に、前記リーチ図柄を前記リーチパターンにより前記表示窓に表示できるようにし、その後、予め決めたリーチ図柄を所定のリーチパターンにより表示させた状態で、前記モータ駆動速度可変手段により高速駆動に移行するようにしたのに対して、刊行物１の発明においては、表示速度切り換え手段により、シンボル列の移動表示の速度を減速することにより大入賞等の入賞が得やすい状態になったことを報知するものであり、減速中に表示するシンボルについては明らかでなく、減速後、表示速度切り換え手段は再度高速に移行するように制御するものではない点。
　　　　　　　　　　　　　　　　　　　　　　　　　　　　　　　　　
　上記の相違点について検討する。
　刊行物２の発明は、「予め定められた特定の入賞領域及び前記入賞領域を含むとともに、前記入賞領域以外の非入賞領域を有するリーチ図柄出現領域を備えた入賞判定テーブル103と、上記乱数抽出手段102が抽出した１つの乱数値を、前記入賞判定テーブル103と照合するテーブル照合手段104と、上記乱数抽出手段102が抽出した１つの乱数値にもとづいて、図柄表示装置40の図柄変動表示を停止表示させる停止図柄を決定する停止図柄決定手段105」と、「乱数抽出手段102により抽出された１つの乱数値を、前記テーブル照合手段104により入賞判定テーブル103の入賞領域と照合し、その結果、当該乱数値が前記入賞領域に含まれていることを条件に、特別遊技の実行を決定する特別遊技決定手段107と、前記特別遊技決定手段107により特別遊技の実行が決定された場合に、特別遊技を行わせる特別遊技実行制御手段120とを備え」た「遊技機」であって、「抽出」した「乱数値が前記リーチ図柄出現領域に含まれていることを条件に、リーチ図柄を決定するリーチ図柄決定手段106と、図柄表示装置40に表示された図柄を、静止状態から、図柄の判別が困難な状態で変動表示させる変動表示制御手段110と、前記変動表示制御手段110により図柄の判別が困難な状態で変動表示されている図柄を、各回転リール50〜52の回転速度を、遊技者が容易に図柄を判別できる程度の速度で各図柄の表示位置を揃えた状態で同調させて回転させ、各回転リール50〜52の回転が同調した状態で、前記リーチ図柄決定手段106により決定されたリーチ図柄、例えば「７」「７」「７」を図柄表示装置40の表示窓41〜43に可視表示するリーチ図柄可視表示制御手段111と、前記リーチ図柄可視表示制御手段111により図柄の判別が容易な状態で変動表示されている図柄を、図柄の判別が困難な状態で再変動表示させる再変動表示制御手段112と、前記再変動表示制御手段112により図柄の判別が困難な状態で再変動表示されている図柄の再変動表示を停止させ、前記停止図柄決定手段105により決定された停止図柄を停止表示する停止表示制御手段113」とを備えることにより、「図柄可変表示手段によって図柄を可変表示している最中に、遊技者が判別可能な状態で、入賞の確率が高いことを示すリーチ図柄を可視表示することにより、入賞の確率が高いことを予め報知し、入賞への期待感を高め、以降の遊技の趣向を高めることのできる」ものである。そして、「各回転リール50〜52」の回転速度制御は、「変動表示制御手段110」により「静止状態から、図柄の判別が困難な状態で変動表示」させる制御手段と、「リーチ図柄可視表示制御手段111」により「リーチ図柄決定手段106により決定されたリーチ図柄を可視表示」させる制御手段と、「再変動表示制御手段112」により「図柄の判別が困難な状態で再変動表示」させる制御手段により回転速度制御されるものであり、上記した「変動表示制御手段110」と「リーチ図柄可視表示制御手段111」と「再変動表示制御手段112」とは、「各回転リール50〜52」の回転速度を制御する回転速度制御手段であるということができる。
　これを上記相違点に係る本願発明の発明特定事項（以下、「前者」という。）との関係でみると、刊行物２の発明（以下、「後者」という。）の「テーブル照合手段104」は前者の「リーチ状態判定手段」に対応しており、後者の「変動表示制御手段110」、「リーチ図柄可視表示制御手段111」、「再変動表示制御手段112」より成る上記回転速度制御手段は前者の「モータ駆動制御手段」に対応しており、後者の「リーチ図柄決定手段106により決定されたリーチ図柄」を表示する「リーチ図柄可視表示制御手段111」は前者の「複数種類の図柄のうちから、予め決めたリーチ図柄を所定のリーチパターンにより表示させるためのリーチパターン表示手段」に対応しており、後者の「図柄の判別が容易な状態で変動表示されている図柄」を「図柄の判別が困難な状態で再変動表示させる再変動表示制御手段112」は前者の「予め決めたリーチ図柄を所定のリーチパターンにより表示させた状態で、前記モータ駆動速度可変手段により高速駆動に移行するモータ駆動速度可変手段」に対応している。また、後者の「各回転リール50〜52の回転速度を、遊技者が容易に図柄を判別できる程度の速度で各図柄の表示位置を揃えた状態で同調させて回転させ、各回転リール50〜52の回転が同調した状態で、前記リーチ図柄決定手段106により決定されたリーチ図柄」を「図柄表示装置40の表示窓41〜43に可視表示」する「リーチ図柄可視表示制御手段111」は、「各図柄の表示位置」が「揃えた状態で同調」して「回転」するようになるまで「各回転リール50〜52」を異なる回転速度で回転するように回転速度制御することが明らかであるから、後者は実質上、前者の「複数のリールモータを異なる回転速度で駆動させ」、「リーチ図柄を前記リーチパターンにより前記表示窓に表示」する「モータ駆動速度可変手段」に対応する構成を備えているといえる。
　ここで、後者の「テーブル照合手段104」が「特別遊技」への移行の可能性が高い「リーチ状態」にあると判定したとき、「リーチ図柄」を「可視表示」する上記「リーチ図柄可視表示制御手段111」は、「リーチ状態」にあることを報知するものであるから、リーチ状態報知手段であるということができる。そしてこのとき、上記「テーブル照合手段104」から上記「リーチ図柄可視表示制御手段111」に対して「リーチ状態」にあることを示す信号が出力され、上記「リーチ図柄可視表示制御手段111」は、該信号が入力されると「リーチ図柄」を「可視表示」するものであるといえるから、後者は、前者おける「リーチ信号」に実質的に相当する信号の出入力を行うものであるということができ、上記「リーチ図柄可視表示制御手段111」は、実質上、「テーブル照合手段104」から出力される信号（リーチ信号）の入力により、「リーチ状態」にあることを報知するリーチ状態報知手段であるということができる。
　そうすると、後者は、前者における「リーチ信号を出力するためのリーチ状態判定手段と、前記リーチ状態判定手段からの前記リーチ信号の入力を条件に、遊技者にリーチ状態の発生の可能性を報知するためのリーチ状態報知手段とを含み、前記モータ駆動制御手段には、前記リールモータの駆動速度を、低速から高速に可変可能なモータ駆動速度可変手段を含み、前記リーチ状態報知手段には、前記モータ駆動速度可変手段による低速駆動中に、前記複数種類の図柄のうちから、予め決めたリーチ図柄を所定のリーチパターンにより表示させるためのリーチパターン表示手段を含み、前記リーチパターン表示手段は、前記リーチ状態判定手段からの前記リーチ信号の入力を条件に、前記モータ駆動制御手段により、前記複数のリールモータを異なる回転速度で駆動させ、前記モータ駆動速度可変手段による低速駆動中に、前記リーチ図柄を前記リーチパターンにより前記表示窓に表示できるようにし、その後、予め決めたリーチ図柄を所定のリーチパターンにより表示させた状態で、前記モータ駆動速度可変手段により高速駆動に移行する」報知手段の構成を備えているといえる。
　ところで、刊行物２の発明は「遊技機」に関する発明であり、同発明を技術的に裏付ける発明の詳細な説明は「遊技機としてのパチンコ機」（摘記事項2-c）に関してなされており、「入球センサ61への遊技球の入球を条件」に、「乱数発生手段101」から「乱数が発生」（摘記事項2-d）し、「抽出した１つの乱数値にもとづいて」、「当該乱数値が前記リーチ図柄出現領域に含まれていることを条件に」、「リーチ図柄決定手段106」において「リーチ図柄を決定する」ものであるが、「図柄可変表示手段によって図柄を可変表示している最中に、遊技者が判別可能な状態で、入賞の確率が高いことを示すリーチ図柄を可視表示することにより、入賞の確率が高いことを予め報知」（摘記事項2-b）する報知手段は、「遊技機」の範疇の内の「パチンコ機」に特有の報知手段というわけではなく、同じく「遊技機」の範疇に属する「スロットマシン」においても、本願の明細書の段落【０００１】及び【０００２】にも記載されているように、「リーチ目」として従来よりよく知られている報知手段（「リーチ目」に関して、他に必要あれば、例えば特開平７−５１４３１号公報、特開平８−１１７３９０号公報（段落【００８４】）参照）であり、回転リールに表示された複数種類の図柄を予め決めた所定のパターンとして表示することにより、入賞の確率が高いことを報知するスロットマシンは周知である。
　そして、スロットマシンにおいて入賞の確率が高いことを「リーチ目」として報知する報知手段が周知であるという、上記した技術的背景を考慮すると、刊行物２の発明が開示する、「リーチ図柄を可視表示」させる「リーチ図柄可視表示制御手段」による報知手段を、刊行物１の発明における「スロットマシン」の「シンボル列の移動表示」の速度を「減速」することによる報知手段に適用して本願発明を得ることは、当業者が容易に想到することができたものである。なお、一般にスロットマシンにおいて、リールの駆動は、通常、スタートスイッチからのスタート信号の入力を条件に行われるものであり、刊行物１の発明においても上記(i)に記載したように同様のことがいえるから、刊行物１の発明における「シンボル列の移動表示」の速度を「減速」することによる報知手段に、刊行物２が開示する上記の報知手段を適用する際に、「シンボル列の移動表示」中に行われる上記「リーチ図柄の可視表示」を「スタートスイッチからのスタート信号の入力を条件」に行うこととした点は、自明な事項である。
　しかも、本願発明が奏する効果も、刊行物１及び２の発明が本来奏する効果の範囲内のものであって格別なものではない。
　　　　　　　　　　　　　　　　　　　　　　　　　　　　　　　　　
　なお、審判請求人は審判請求書において、「引用文献２は、リーチを知らせることはあっても、ねらうためのものでなく、あくまで演出のために行っているに過ぎない。また引用文献１と組み合わせたとしても、高速回転中にリーチ絵柄をねらわせるために低速回転中にリーチ絵柄を知らせることに関しては、開示されていない。」旨を主張している。しかしながら、本願発明において、「特別遊技」へ移行可能な停止図柄の組合せと「リーチ図柄」とは必ずしも一致するものではなく（このことは、本願明細書の段落【００４５】の記載からも明らかである。）、本願発明の「リーチ図柄」は、「リーチ状態」を報知すること以上の機能を有しているとはいえず、審判請求人の上記主張には理由がない。
　　　　　　　　　　　　　　　　　　　　　　　　　　　　　　　　　
　したがって、本願発明は、刊行物１及び２の発明に基いて、当業者が容易に発明をすることができたものである
　　　　　　　　　　　　　　　　　　　　　　　　　　　　　　　　　
４．むすび
　以上のとおりであるから、本願発明は、特許法第２９条第２項の規定により特許を受けることができない。
　よって、本願の他の請求項に係る発明について論じるまでもなく、結論のとおり審決する。